(57)【要約】【課題】撮影シーンに応じた信号処理を施すことができるようにすること、および複数の撮影シーンがなめらかに繋がるようにすることを両立できるようにする。【解決手段】被写体を撮影して映像信号を出力する撮像手段と、前記撮像手段から出力される映像信号を信号処理する信号処理手段と、前記撮像手段から出力される映像信号の撮影シーンを判別する判別手段と、前記判別手段により判別された撮影シーンに応じた信号処理を前記映像信号に対して施すように前記信号処理手段を制御する制御手段とを設け、前記制御手段は、前記映像信号に画質補正を行う際の画質補正目標値に制御範囲を設け、前記制御範囲において信号処理を行うように前記信号処理手段を制御することにより、シーン判別の切り替りで変化が大きくなり過ぎたり、誤検出の際の弊害が発生したりすることなく、撮影シーンに応じた画質補正を自動的に行うことができるようにする。【選択図】図１
2011130370.tif 000002
【特許請求の範囲】
【請求項１】
被写体を撮影して映像信号を出力する撮像手段と、
前記撮像手段から出力される映像信号を信号処理する信号処理手段と、
前記撮像手段から出力される映像信号の撮影シーンを判別する判別手段と、
前記判別手段により判別された撮影シーンに応じた信号処理を前記映像信号に対して施すように前記信号処理手段を制御する制御手段とを有し、
前記制御手段は、前記映像信号に画質補正を行う際の画質補正目標値に制御範囲を設け、前記制御範囲において信号処理を行うように前記信号処理手段を制御することを特徴とする撮像装置。
【請求項２】
前記判別手段が判別する撮影シーンは、夕景シーン、夜景シーン、スポットライト、人物、風景、青空、鮮やか、逆光のうち少なくともひとつであることを特徴とする請求項１に記載の撮像装置。
【請求項３】
前記画質補正目標値は、ホワイトバランスゲイン値、色強調補正値のうち少なくともひとつであることを特徴とする請求項１または２に記載の撮像装置。
【請求項４】
前記制御手段は、前記夕景シーンにおけるホワイトバランスゲイン目標値に制御範囲を設け、前記制御範囲で、前記夕景シーンに遷移する前のホワイトバランスゲインから最も近いホワイトバランスゲイン値になるように、前記ホワイトバランスを遷移させることを特徴とする請求項２または３に記載の撮像装置。
【請求項５】
前記制御手段は、前記夕景シーンに遷移する前後におけるホワイトバランスゲインの差に応じて、色強調補正の補正値を変化させることを特徴とする請求項４に記載の撮像装置。
【請求項６】
前記制御手段は、前記夕景シーンに遷移する前後におけるホワイトバランスゲインの差が小さいほど、前記色強調補正の補正値を大きくし、その反対に、前記ホワイトバランスゲインの差が大きいほど、前記色強調補正の補正値を小さくすることを特徴とする、請求項５に記載の撮像装置。
【請求項７】
前記制御手段は、前記夕景シーンに遷移する前のホワイトバランスゲイン値に応じて、前記夕景シーンにおけるホワイトバランスゲイン値のとり得る範囲を変化させることを特徴とする請求項４〜６の何れか１項に記載の撮像装置。
【請求項８】
前記制御手段は、前記夕景シーンに遷移する前のホワイトバランスゲイン値が、あらかじめ設定された色温度よりも低い場合には、夕景シーンにおけるホワイトバランスゲイン値のとり得る範囲を低色温度側にシフトし、その反対に、夕景シーンに遷移する前のホワイトバランスゲイン値が、あらかじめ設定された色温度よりも高い場合には、夕景シーンにおけるホワイトバランスゲイン値のとり得る範囲を高色温度側にシフトすることを特徴とする請求項７に記載の撮像装置。
【請求項９】
前記制御手段は、前記夕景シーンに遷移する前後における、ホワイトバランスゲイン補正による色効果と、色強調補正による色効果との積が、あらかじめ設定された範囲内になるように、夕景シーンにおけるホワイトバランスゲイン値および色強調補正値を決定することを特徴とする請求項４〜６の何れか１項に記載の撮像装置。
【請求項１０】
被写体を撮影して映像信号を出力する撮像工程と、
前記撮像工程から出力される映像信号を信号処理する信号処理工程と、
前記撮像工程から出力される映像信号の撮影シーンを判別する判別工程と、
前記判別工程において判別された撮影シーンに応じた信号処理を前記映像信号に対して施すように前記信号処理工程を制御する制御工程とを有し、
前記制御工程は、前記映像信号に画質補正を行う際の画質補正目標値に制御範囲を設け、前記制御範囲において信号処理を行うように前記信号処理工程を制御することを特徴とする撮像方法。
【請求項１１】
被写体を撮影して映像信号を出力する撮像工程と、
前記撮像工程から出力される映像信号を信号処理する信号処理工程と、
前記撮像工程から出力される映像信号の撮影シーンを判別する判別工程と、
前記判別工程において判別された撮影シーンに応じた信号処理を前記映像信号に対して施すように前記信号処理工程を制御する制御工程とをコンピュータに実行させるコンピュータプログラムであって、
前記制御工程は、前記映像信号に画質補正を行う際の画質補正目標値に制御範囲を設け、前記制御範囲において信号処理を行うように前記信号処理工程を制御することを特徴とするコンピュータプログラム。
【請求項１２】
請求項１１に記載のコンピュータプログラムを記憶したことを特徴とするコンピュータ読み取り可能な記憶媒体。
【発明の詳細な説明】
【技術分野】
【０００１】
本発明は撮像装置及び撮像方法に関し、特に、撮像装置の画質補正に用いて好適な技術に関する。
【背景技術】
【０００２】
撮像装置の信号処理においては、撮影するシーンごとに適正な画質補正が異なる。このため、撮像装置の機能として、撮影に用いるシーンモードを複数のモードの中からユーザに選択させ、ユーザが設定するシーンモードに応じて、撮像装置の設定を切り替え、各モードに適した画質補正を行っている。
【０００３】
従来技術として、夕焼けモードが設定可能であり、特性の異なる調整値でＷＢ調整を行い、色合いの異なる複数の見本画像を作成してユーザに表示することで、見本画像に基づいて所望の画像処理を選択可能にしたものがある（特許文献１）。
【０００４】
また、従来技術として、ＧＰＳによる位置情報に基づいて、撮影場所の日の出入時刻のデータを求める。そして、日の出入時刻の前後の所定時間内に入っているとき、夕焼けまたは朝焼けの影響を受けていると推定し、ホワイトバランス調整の効果を弱めるものがある（特許文献２）。
【先行技術文献】
【特許文献】
【０００５】
【特許文献１】特開平１１−２９８８４８号公報
【特許文献２】特開２００１−３３９７３９号公報
【発明の概要】
【発明が解決しようとする課題】
【０００６】
しかしながら、特許文献１により提案されているように、撮影シーンに応じて、適正なシーンモードに切り替えることは、ユーザにとって面倒な操作でもあり、初心者にとっては適正なモードや画像を判断するのが困難である。また、特許文献２により提案されている技術は、誤検出やシーン切り替り時の画質の変化や弊害については考慮されていない問題点がある。
【０００７】
さらに、従来のシーンモードの夕景と同程度の補正をかけると、自動検出の場合には、シーン判別の切り替りで変化が大きくなり過ぎたり、誤検出の際の弊害も大きくなってしまったりする問題点があった。
本発明は前述の問題点を鑑み、撮影シーンに応じた信号処理を施すことができるようにすること、および複数の撮影シーンがなめらかに繋がるようにすることを両立できるようにすることを目的とする。
【課題を解決するための手段】
【０００８】
本発明の撮像装置は、被写体を撮影して映像信号を出力する撮像手段と、前記撮像手段から出力される映像信号を信号処理する信号処理手段と、前記撮像手段から出力される映像信号の撮影シーンを判別する判別手段と、前記判別手段により判別された撮影シーンに応じた信号処理を前記映像信号に対して施すように前記信号処理手段を制御する制御手段とを有し、前記制御手段は、前記映像信号に画質補正を行う際の画質補正目標値に制御範囲を設け、前記制御範囲において信号処理を行うように前記信号処理手段を制御することを特徴とする。
【発明の効果】
【０００９】
本発明によれば、撮影シーンを判別し、映像信号に対して撮影シーンに応じた信号処理を施す際に、画質補正値に範囲を設け、範囲内の画質補正値によって画質補正を行うことで状態を遷移させるようにした。これにより、シーン判別の切り替りでの変化や、誤検出の際の弊害を軽減することができ、画質補正による効果と撮影シーンのなめらかな繋がりを両立することができる。
【図面の簡単な説明】
【００１０】
【図１】本発明の実施形態を示し、撮像装置の概略構成を示すブロック図である。
【図２】撮像装置の概観を示す斜視図である。
【図３】ホワイトバランス制御範囲を示す説明図である。
【図４】シーン判定処理を説明するフローチャートである。
【図５】第１の実施形態を示し、夕景処理を説明するフローチャートである。
【図６】第２の実施形態を示し、夕景処理を説明するフローチャートである。
【図７】第３の実施形態を示し、夕景処理を説明するフローチャートである。
【発明を実施するための形態】
【００１１】
（第１の実施形態）
次に、図面を参照しながら本発明の実施形態を説明する。
図１は、本実施形態の撮像装置１００の概略構成を説明するブロック図である。
図１において、１０１はレンズであり、レンズ１０１の後方には絞り１０２が配置されている。レンズ１０１、絞り１０２を通過した光は、イメージセンサー１０５の結像面上に被写体像として結像される。イメージセンサー１０５に結像された被写体像は、イメージセンサー１０５により光信号から映像信号に変換される。
【００１２】
イメージセンサー１０５により得られた映像信号は、信号処理部１１２に送られる。映像信号は信号処理部１１２において、ホワイトバランス補正処理部１０７によりホワイトバランス補正処理を施され、色補正処理部１０８により色補正処理を施される。その後、ディスプレイ１１６に出力されるか、あるいは、磁気テープ１１５、あるいはＤＶＤディスク１１７、あるいはメモリカード１１８に記録される。また、カメラ情報検出部１１０において、輝度、色などのカメラ情報が検出され、カメラマイコン１１１に送られる。信号処理部１１２においては、その他の処理が行われるが、ここでは詳細な説明を省略する。
【００１３】
カメラマイコン１１１は、カメラ情報検出部１１０から得られる、輝度、色などのカメラ情報から、撮影シーンを判定する。さらに、判定したシーンに基づき、ホワイトバランス補正値、色強調補正値を算出する。そして、算出されたホワイトバランス補正値をホワイトバランス補正処理部１０７に設定することで、映像を撮影するためのホワイトバランス制御を行い、映像のホワイトバランスが適正になるように処理する。また、算出された色強調補正値を色補正処理部１０８に設定することで、映像の色補正を行い、映像の色再現性が適正になるように処理する。カメラマイコン１１１によるシーン判定処理、夕景シーンのように、判定された撮影シーンに対するホワイトバランス補正処理及び色強調補正処理については、後で詳しく述べる。
【００１４】
カメラマイコン１１１は、前述の制御の他に、イメージセンサー制御部１０６を通じて、イメージセンサー１０５の蓄積、読み出しなどの制御を行う。また、レンズ制御部１０３を通じて、レンズ１０１のフォーカス、ズームなどの制御を行う。また、イメージセンサー１０５から得られる画像データから求められる被写体の輝度情報を用いて、絞り制御部１０４を通じて、絞り１０２の制御を行う。また、イメージセンサー制御部１０６を通じて、シャッタースピードの制御を行うことで、露出制御を行う。また、レンズ制御部１０３を通じてレンズ１０１を駆動するか、あるいは、信号処理部１１２を制御することで、使用者の撮影時の手ぶれを補正する。
【００１５】
図２は、実施形態の撮像装置１００の概観を示す斜視図である。
図２において、１２０は撮像装置本体である。撮像装置本体１２０の内部には、ＤＶＤディスク、磁気テープ及びメモリカードなどの記録媒体が収納され、映像信号及び静止画像を記録再生できるようになっている。１２１はレンズ部である。１２２はマイクであり、撮影時の音声を記録するために備えられている。１２３は電子式ビューファインダ（ＥＶＦ）であり、使用者が覗き込むことにより、カメラ撮影時に被写体を狙ったり確認したりするために備えられている。
【００１６】
１２４は動画用トリガースイッチである。動画用トリガースイッチ１２４はプッシュボタンで構成されており、動画撮影開始及び終了を撮像装置１００に伝達するために使用者が操作するスイッチである。１２５は静止画用トリガースイッチである。静止画用トリガースイッチ１２５はプッシュボタンであり、静止画撮影開始及び終了を機器に伝達するために使用者が操作するスイッチである。
【００１７】
１２６はモードダイヤルであり、回転式のスイッチからなる。モードダイヤル１２６では、例えば再生モードに設定する"再生"、カメラモードに設定する"カメラ"及びそのいずれでもない"ＯＦＦ"のいずれかを選択できる。１２７は操作スイッチ群であり、使用者が本体を操作するため、ホワイトバランスモードを入力するためのキーや、その他のメニュー操作や再生系の操作などのためのキーが配置されている。本実施形態で、使用者が設定入力可能な撮影シーンは、夕景シーン、夜景シーン、スポットライト、人物、風景、青空、鮮やか、逆光である。そして、それぞれの撮影シーンで、ホワイトバランス目標値が異なる。
【００１８】
１２８は本体側面に開閉自在となるように取り付けられた液晶パネルであり、ＥＶＦ１２３と同様に、カメラ撮影時には被写体像の確認、再生時には再生画像の表示に主に使用される。液晶パネル１２８は、撮像装置本体１２０から開いている状態で、さらに水平方向にも回転可能になっている。１２９はスピーカであり、再生するときに音声を出力するために設けられている。１３０はバッテリであり、撮像装置本体１２０と着脱可能になっている。
【００１９】
次に、本実施形態の撮像装置１００において、カメラマイコン１１１により行われるシーン判定処理について、図４のフローチャートを参照しながら説明する。
図４は、本実施形態のシーン判定処理を説明するフローチャートである。電源が投入されると、カメラマイコン１１１は、シーン判定を開始する（Ｓ４０）。シーン判定を開始すると、まず、夕景シーンかどうかの判定を行う（Ｓ４１）。この判定の結果、夕景でなければ、Ｓ４６に進んで夕景用カウンターＣｓｕをクリアし、その後、シーン判定を「通常」とする（Ｓ４７）。
【００２０】
一方、Ｓ４１の判定結果が夕景であれば、夕景用カウンターＣｓｕをインクリメントする（Ｓ４２）。次に、Ｃｓｕの値が、あらかじめ設定された所定値Ｎより大きいかどうかを判定する（Ｓ４３）。この判定の結果、所定値Ｎより大きければ、前回のシーン判定結果から変更し、シーン判定を「夕景」とする（Ｓ４４）。また、Ｃｓｕが所定値Ｎ以下であれば、シーン判定を変更せずに、前回のシーン判定結果を維持し、シーン判定を「通常」とする（Ｓ４７）。これは、シーン判定の信頼性、安定性を向上させるためであり、Ｎ回より多く同一の判定が持続して初めて、シーン判定を変更するようにしている。
【００２１】
Ｓ４４においてシーン判定が「夕景」となった場合には、ホワイトバランス補正処理部１０７及び色補正処理部１０８において、夕景シーンに適正な夕景処理を施す（Ｓ４５）。一方、Ｓ４７においてシーン判定が「通常」となった場合には、通常処理を施す（Ｓ４８）。以上の判定処理を撮影終了まで繰り返し行う。
【００２２】
次に、本実施形態の撮像装置１００においてカメラマイコン１１１により行われる夕景処理について、図３（ａ）の説明図、及び図５のフローチャートを参照しながら説明する。
図３（ａ）は、本実施形態のホワイトバランス制御範囲を示す説明図である。符号１５０、符号１５２、及び低色温度側ホワイトバランス制御範囲１４５、高色温度側ホワイトバランス制御範囲１４７で囲まれた範囲が、ホワイトバランスゲイン目標値（画質補正目標値）に対する状態遷移後のホワイトバランス制御範囲である。本実施形態でのホワイトバランスゲイン目標値は、前述した、使用者がホワイトバランスモードを入力するためのキーを用いて設定入力可能な撮影シーンの目標値と同一であるとする。
【００２３】
図５は、本実施形態の夕景処理を説明するフローチャートである。
夕景シーンと判定されると、カメラマイコン１１１は、夕景処理を開始する（Ｓ５０）。
処理を開始すると、まず、現在の、夕景シーンと判定される以前のホワイトバランスゲイン値を取得する（Ｓ５１）。図３（ａ）において、符号１４１、あるいは符号１４２が、夕景シーンと判定される以前のホワイトバランスゲイン値である。
【００２４】
続いて、状態遷移後のホワイトバランスゲイン値を算出する（Ｓ５２）。この際、状態遷移後のホワイトバランスゲイン値は、夕景シーンのホワイトバランス目標値１４３に向かう。そして、図３（ａ）に示したホワイトバランス制御範囲内で、夕景シーンに遷移する前のホワイトバランスゲイン１４１、１４２から最も近いホワイトバランスゲイン値になるように決定される。すなわち、本実施形態では、使用者が直接的に撮影シーンを設定入力した場合は、制限なく、ホワイトバランスゲイン値は夕景シーンのホワイトバランス目標値１４３に向かう。これに対して、自動シーン判別における夕景シーンでは、ホワイトバランスゲイン値は、低色温度側ホワイトバランス制御範囲１４５、又は、高色温度側ホワイトバランス制御範囲１４７の上で制限される。なお、制御範囲上の位置はホワイトバランスゲイン１４１、１４２から最も近いホワイトバランスゲイン値に限らない。例えば、ホワイトバランスゲイン１４１、１４２とホワイトバランスゲイン目標値を結ぶ直線とホワイトバランス制御範囲１４５、又は、高色温度側ホワイトバランス制御範囲１４７との交点の値としても良い。
【００２５】
この例では、目標値をＡ、赤色系のゲイン（Ｒgain）、青色系のゲイン（Ｂgain）とした場合、Ａ（Ｒgain＝Ｒ１、Ｂgain＝Ｂ１）のように決定される。続いて、ホワイトバランス補正処理部１０７において、ホワイトバランスゲイン値を更新し、夕景シーンに適正なホワイトバランス補正を行う（Ｓ５３）。
【００２６】
以上述べたように、本実施形態の撮像装置１００においては、撮影シーンを判別して、映像信号に対して、撮影シーンに応じた信号処理を施す際に、画質補正値に範囲を設け、範囲内の画質補正値によって画質補正を行うことで状態を遷移させるようにした。これにより、夕景シーンへの状態遷移のような、シーン判別の切り替りでの変化や、誤検出の際の弊害を軽減することができ、画質補正による効果、及び撮影シーンのなめらかなつながりを両立させることが可能となる。また、本実施形態において、本実施形態の撮像装置１００が判別する撮影シーンは、夕景シーン、夜景シーン、スポットライト、人物、風景、青空、鮮やか、逆光のうち少なくともひとつである。
【００２７】
（第２の実施形態）
本実施形態では、第１の実施形態における撮像装置１００におけるカメラマイコン１１１による、夕景処理を以下のように行う。
以下に、本実施形態の撮像装置１００におけるカメラマイコン１１１による、夕景処理について、図３（ｂ）の説明図、及び、図６のフローチャートを参照しながら説明する。
【００２８】
図３（ｂ）は、本実施形態のホワイトバランス制御範囲を示す説明図である。
図３（ｂ）において、符号１５０、符号１５２、及び低色温度側ホワイトバランス制御範囲１５５、高色温度側ホワイトバランス制御範囲１５７で囲まれた範囲が、状態遷移後のホワイトバランス制御範囲である。低色温度側ホワイトバランス制御範囲１５５、及び高色温度側ホワイトバランス制御範囲１５７は、固定値ではなく、状態遷移前のホワイトバランスゲイン値に応じて変化するようになっている。
【００２９】
図６は、本実施形態の夕景処理を説明するフローチャートである。
夕景シーンと判定されると、カメラマイコン１１１は、夕景処理を開始する（Ｓ６０）。
まず、現在の、夕景シーンと判定される以前のホワイトバランスゲイン値ｗｂを取得する（Ｓ６１）。図３（ｂ）において、符号１４１、１４２が、夕景シーンと判定される以前のホワイトバランスゲイン値である。
【００３０】
次に、夕景シーンと判定される以前のホワイトバランスゲイン値ｗｂが、あらかじめ設定された閾値Ｔｈ＿１より小さいかどうかを判定する（Ｓ６２）。この判定の結果、閾値Ｔｈ＿１よりも小さい場合、低色温度側ホワイトバランス制御範囲１５５を低色温度側にシフトし（Ｓ６３）、次のステップＳ６６へと進む。
【００３１】
Ｓ６２の判定の結果、夕景シーンと判定される以前のホワイトバランスゲイン値ｗｂが、閾値Ｔｈ＿１以上の場合、夕景シーンと判定される以前のホワイトバランスゲイン値ｗｂが、あらかじめ設定された閾値Ｔｈ＿ｈより大きいかどうかを判定する（Ｓ６４）。この判定の結果、閾値Ｔｈ＿ｈよりも大きい場合、高色温度側ホワイトバランス制御範囲１５７を高色温度側にシフトし（Ｓ６５）、次のステップＳ６６へと進む。また、Ｓ６４において、夕景シーンと判定される以前のホワイトバランスゲイン値ｗｂが、閾値Ｔｈ＿ｈ以下の場合には、そのまま次のステップＳ６６へと進む。
【００３２】
Ｓ６６においては、状態遷移後のホワイトバランスゲイン値を算出する。この際、状態遷移後のホワイトバランスゲイン値は、夕景シーンのホワイトバランス目標値１４３に向かう。かつ、図３（ｂ）に示したホワイトバランス制御範囲内で、夕景シーンに遷移する前のホワイトバランスゲイン１４１或いは１４２から最も近いホワイトバランスゲイン値になるように、決定される。続いて、ホワイトバランス補正処理部１０７において、ホワイトバランスゲイン値を更新し、夕景シーンに適正なホワイトバランス補正を行う（Ｓ６７）。その後、Ｓ６８においてエンド処理を行う。
【００３３】
以上述べたように、本実施形態においては、夕景シーンに遷移する前のホワイトバランスゲイン値が、あらかじめ設定された色温度よりも低い場合には、夕景シーンにおけるホワイトバランスゲイン値のとり得る範囲を低色温度側にシフトする。逆に、夕景シーンに遷移する前のホワイトバランスゲイン値が、あらかじめ設定された色温度よりも高い場合には、夕景シーンにおけるホワイトバランスゲイン値のとり得る範囲を高色温度側にシフトする。
【００３４】
このような補正処理を行うことで、状態遷移前のホワイトバランスの状態に影響されず、夕景シーンへの状態遷移のような、シーン判別の切り替りでの変化や、誤検出の際の弊害を軽減することができる。これにより、画質補正による効果と撮影シーンのなめらかなつながりを両立することが可能となる。
【００３５】
（第３の実施形態）
以下に、本実施形態の撮像装置１００におけるカメラマイコン１１１による、夕景処理を、図７のフローチャートを参照しながら説明する。
【００３６】
図７は、本実施形態の夕景処理を説明するフローチャートである。
夕景シーンと判定されると、カメラマイコン１１１は、夕景処理を開始する（Ｓ７０）。
【００３７】
処理が開始されると、まず、現在の、夕景シーンと判定される以前のホワイトバランスゲイン値ｗｂを取得する（Ｓ７１）。続いて、状態遷移後のホワイトバランスゲイン値ｗｂ'を算出する（Ｓ７２）。続いて、ホワイトバランス補正処理部１０７において、ホワイトバランスゲイン値を更新し、夕景シーンに適正なホワイトバランス補正を行う（Ｓ７３）。
【００３８】
次に、夕景シーンに遷移する前後でのホワイトバランスゲインの差（ｗｂ'−ｗｂ）に応じて、色強調補正値を算出する（Ｓ７４）。ここで、夕景シーンに遷移する前後でのホワイトバランスゲインの差（ｗｂ'−ｗｂ）が小さいほど、色強調補正の補正値を大きくし、反対に、夕景シーンに遷移する前後でのホワイトバランスゲインの差が大きいほど、色強調補正の補正値を小さくなるようにする。
【００３９】
また、この際、夕景シーンに遷移する前後での、ホワイトバランスゲイン補正による色効果と、色強調補正による色効果との積が、あらかじめ設定された範囲内になるように、夕景シーンにおけるホワイトバランスゲイン値及び色強調補正値を決定しても構わない。
続いて、色補正処理部１０８において、色強調補正値を更新し、夕景シーンに適正な色強調補正を行う（Ｓ７５）。その後、エンド処理を行う（Ｓ７６）。
【００４０】
以上述べたように、夕景シーンに遷移する前後でのホワイトバランスゲインの差が小さいほど、色強調補正の補正値を大きくし、逆に、夕景シーンに遷移する前後でのホワイトバランスゲインの差が大きいほど、色強調補正の補正値を小さくする。このように処理することで、夕景シーンに状態遷移する際の色補正の効果を一定に保つことが可能となり、シーン判別の切り替りでの変化や、誤検出の際の弊害を軽減することができる。これにより、本実施形態においても、画質補正による効果と撮影シーンのなめらかなつながりを両立することが可能となる。
【００４１】
（その他の実施形態）
また、本発明は、以下の処理を実行することによっても実現される。すなわち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４２】
１０１  レンズ、１０２  絞り、１０３  レンズ制御部、１０４  絞り制御部、１０５  イメージセンサー、１０６  イメージセンサー制御部、１０７  ホワイトバランス補正処理部、１０８  色補正処理部、１１０  カメラ情報検出部、１１１  カメラマイコン、１１２  信号処理部、１１５  磁気テープ、１１６  ディスプレイ、１１７  ＤＶＤディスク、１１８  メモリカード
【図１】
2011130370.tif 000003
【図２】
2011130370.tif 000004
【図３】
2011130370.tif 000005
【図４】
2011130370.tif 000006
【図５】
2011130370.tif 000007
【図６】
2011130370.tif 000008
【図７】
2011130370.tif 000009